(57)【要約】【課題】文字フォントを用いずに送信された電子メールを解読可能とする電子メール画像送信システム及び電子メール画像送信方法を提供する。【解決手段】受信端末６が必要な文字フォントを保有していないときは電子メールサーバー３を選択し、電子メールはインターネット２を経由して選択した電子メールサーバー３に届く。電子メールサーバー３において、電子メールのテキストデータを画像データに変換する。次に、その画像データを添付ファィルとして電子メールを生成し、その電子メールを指定された電子メールの宛先に送信する。【選択図】        図２
2004179936.tif 000002
【特許請求の範囲】
【請求項１】
電子メールを予め選択された電子メールサーバーに送信する送信側の端末、この端末から送信された電子メールをインターネット経由で受信し上記電子メールのテキストデータを画像データに変換し上記電子メールに上記画像データを添付して指定された宛先に送信する送信側の電子メールサーバー、上記電子メールを受信し指定された宛先に送信する受信側の電子メールサーバー、上記電子メールをインターネット経由で受信する受信側の端末からなることを特徴とする電子メール画像送信システム。
【請求項２】
電子メールを送信側の電子メールサーバーに送信する送信側の端末、この端末から送信された電子メールをインターネット経由で受信し上記電子メールを予め選択された受信側の電子メールサーバーに送信する送信側の電子メールサーバー、送信された電子メールを受信し上記電子メールのテキストデータを画像データに変換し上記電子メールに上記画像データを添付して指定された宛先に送信する受信側の電子メールサーバー、上記電子メールをインターネット経由で受信する受信側の端末からなることを特徴とする電子メール画像送信システム。
【請求項３】
電子メールを予め選択された電子メールサーバーに送信する送信側の端末、この端末から送信された上記電子メールをインターネット経由で受信し上記電子メールのテキストデータを画像データに変換しＷｅｂサーバーにその画像ファイルを参照するＷｅｂコンテンツを作成し電子メールに作成したＷｅｂコンテンツのＵＲＬを追加して上記電子メールの宛先にメールを送信する受信側の電子メールサーバー、上記電子メールをインターネット経由で受信する受信側の端末からなることを特徴とする電子メール画像送信システム。
【請求項４】
電子メールを送信側の電子メールサーバーに送信する送信側の端末、この端末から送信された上記電子メールをインターネット経由で受信し上記電子メールを予め選択された受信側の電子メールサーバーに送信する送信側の電子メールサーバー、送信された電子メールを受信し上記電子メールのテキストデータを画像データに変換しＷｅｂサーバーにその画像ファイルを参照するＷｅｂコンテンツを作成し電子メールに作成したＷｅｂコンテンツのＵＲＬを追加して上記電子メールの宛先にメールを送信する受信側の電子メールサーバー、上記電子メールをインターネット経由で受信する受信側の端末からなることを特徴とする電子メール画像送信システム。
【請求項５】
送信側の端末から送信された電子メールのテキストデータを画像データに変換し、上記電子メールに上記画像データを添付して受信側の端末に送信することを特徴とする電子メール画像送信方法。
【請求項６】
送信側の端末から送信された電子メールのテキストデータを画像データに変換し、その画像データを参照するＷｅｂコンテンツをインターネット上のＷｅｂサーバー上に作成し、上記ＷｅｂコンテンツのＵＲＬを電子メールにて受信側の端末に送信することを特徴とする電子メール画像送信方法。
【発明の詳細な説明】
【０００１】
【発明の属する技術分野】
この発明は、電子メールをインターネット経由で宛先のメールアドレスに送信するシステム及びその方法の改良に関するものである。
【０００２】
【従来の技術】
一般に、電子メールを受信した受信端末においては、電子メールの文字コードを受信端末において保持している日本語文字フォントによりテキストデータに変換している。同様に、ロシアではロシア文字の文字フォントにより変換し、アラビアではアラビア文字の文字フォントにより変換して電子メールの内容を理解している。
【０００３】
しかし、例えば、日本人が海外に出張、旅行等で渡航した場合、ノートパソコン等のモバイル端末を携帯した場合はともかく、通常の場合は、海外のホテル、インターネットカフェ等に設置してあるパソコンを使用せざるを得ない。そのような場合は、日本語文字フォントが内蔵されていないことが多く、日本語のメールは文字化けして読むことができない。電話によるコミュニケーションも可能だが、時差が大きい場合には相手が就寝中のこともあり、自由に利用することは困難である。ＦＡＸという手段もあるが、電話回線の状態が悪い場合には送信困難な場合がある。
【０００４】
上記のような問題の解決策として、本来の電子メールとは別にフォントデータを電子メールにて受信し、そのフォントデータをテキストデータのフォント変換に使用すると、海外仕様のパソコンでも日本語として解読できる技術がある（例えば、特許文献１参照）。
【０００５】
【特許文献１】
特開平１１−４１４０３号公報（第３−４頁、第４図）
【０００６】
しかしながら、そもそも本来の電子メールとは別にフォントデータを電子メールにて受信しなければならず、フォントデータは通常１ＭＢ程度あるため、圧縮して送信する必要がある。そのため、受信側では解凍ソフトが必要となり、双方にてソフト間の整合をとる必要がある。また、数あるパソコンの中にはフォントデータを用意すれば対応可能なものもあるが、簡単に設定できるものではない。
更に、携帯電話の場合にはフォントデータを用意しても対応可能にはなっていない。
【０００７】
【発明が解決しようとする課題】
従来の電子メール画像送信システム及び電子メール画像送信方法は上記のように構成されているので、受信側の端末に含まれていない文字フォントを使用するときは別途文字フォントを電子メールにて送信しなければ、送信された電子メールを文字データに変換することはできなかった。
【０００８】
この発明は、上記のような課題を解決するためになされたもので、文字フォントを用いずに送信された電子メールを解読可能とするものである。
【０００９】
【課題を解決するための手段】
この発明に係る電子メール画像送信システムは、電子メールを予め選択された電子メールサーバーに送信する送信側の端末、この端末から送信された電子メールをインターネット経由で受信し上記電子メールのテキストデータを画像データに変換し上記電子メールに上記画像データを添付して指定された宛先に送信する送信側の電子メールサーバー、上記電子メールを受信し指定された宛先に送信する受信側の電子メールサーバー、上記電子メールをインターネット経由で受信する受信側の端末からなるものである。
【００１０】
また、電子メールを送信側の電子メールサーバーに送信する送信側の端末、この端末から送信された電子メールをインターネット経由で受信し上記電子メールを予め選択された受信側の電子メールサーバーに送信する送信側の電子メールサーバー、送信された電子メールを受信し上記電子メールのテキストデータを画像データに変換し上記電子メールに上記画像データを添付して指定された宛先に送信する受信側の電子メールサーバー、上記電子メールをインターネット経由で受信する受信側の端末からなるものである。
【００１１】
また、電子メールを予め選択された電子メールサーバーに送信する送信側の端末、この端末から送信された上記電子メールをインターネット経由で受信し上記電子メールのテキストデータを画像データに変換しＷｅｂサーバーにその画像ファイルを参照するＷｅｂコンテンツを作成し電子メールに作成したＷｅｂコンテンツのＵＲＬを追加して上記電子メールの宛先にメールを送信する受信側の電子メールサーバー、上記電子メールをインターネット経由で受信する受信側の端末からなるものである。
【００１２】
さらに、電子メールを送信側の電子メールサーバーに送信する送信側の端末、この端末から送信された上記電子メールをインターネット経由で受信し上記電子メールを予め選択された受信側の電子メールサーバーに送信する送信側の電子メールサーバー、送信された電子メールを受信し上記電子メールのテキストデータを画像データに変換しＷｅｂサーバーにその画像ファイルを参照するＷｅｂコンテンツを作成し電子メールに作成したＷｅｂコンテンツのＵＲＬを追加して上記電子メールの宛先にメールを送信する受信側の電子メールサーバー、上記電子メールをインターネット経由で受信する受信側の端末からなるものである。
【００１３】
この発明に係る電子メール画像送信方法は、送信側の端末から送信された電子メールのテキストデータを画像データに変換し、上記電子メールに上記画像データを添付して受信側の端末に送信するものである。
【００１４】
また、送信側の端末から送信された電子メールのテキストデータを画像データに変換し、その画像データを参照するＷｅｂコンテンツをインターネット上のＷｅｂサーバー上に作成し、上記ＷｅｂコンテンツのＵＲＬを電子メールにて受信側の端末に送信するものである。
【００１５】
【発明の実施の形態】
実施の形態１．
図１はこの発明の実施の形態１における電子メール画像送信システムを示すもので、図において、１は送信側の端末で、例えばパソコン、モバイル端末、携帯電話である。端末１から電子メールを相手先に送信する場合、電子メールはインターネット２を経由して予め選択した電子メールサーバー３又は電子メールサーバー４に到達する。この電子メールサーバー３と電子メールサーバー４はＳＭＴＰサーバーに相当するものである。これらの相違点は、例えば電子メールサーバー３は送信された電子メールのテキストデータを画像データに変換するもので、電子メールサーバー４は従来通り電子メールのテキストデータをそのまま送信するものである。
【００１６】
電子メールサーバー３と電子メールサーバー４いずれのサーバーにおいても、指定されたメールアドレスのＩＰアドレスを得るために、ＤＮＳサーバー（図示せず）に問合せて指定されたメールアドレスに対応するＩＰアドレスを獲得している。ＩＰアドレスはネットワーク・アドレスとホスト・アドレスに分かれており、指定されたメールアドレスのネットワーク・アドレスに該当する電子メールサーバー５に電子メールを届ける。この電子メールサーバー５はＳＭＴＰサーバーに相当するものである。電子メールサーバー５で受信された電子メールはインターネット２を経由し、メール受信プロトコル（ＰＯＰ等）サーバー（図示せず）を経由してホスト・アドレスに対応する受信側の端末６に届けられる。この端末６は送信側の端末１と同様に、例えばパソコン、モバイル端末、携帯電話である。
【００１７】
図２はこの発明の実施の形態１における電子メール画像送信方法を示すもので、電子メール画像送信システムの動作を示している。先ず、送信側の端末１にて電子メールを作成し、電子メールサーバーを選択しメールアドレスを指定して送信する（Ｓ１）。受信側の端末６が必要な文字フォントを保有していないと送信側の端末１の利用者が判断した場合は電子メールサーバー３を選択し、保有していると判断した場合は電子メールサーバー４を選択する。そのため、受信側の端末６が必要な文字フォントを保有していないときは、電子メールはインターネット２を経由して予め選択した電子メールサーバー３に届く（Ｓ２）。電子メールサーバー３において、電子メールのテキストデータを画像データに変換する（Ｓ３）。
【００１８】
次に、その画像データを添付ファィルとして電子メールを生成し、指定された電子メールの宛先アドレスに送信する（Ｓ４）。インターネット上の電子メールサーバー５に到達し、指定された電子メールの宛先アドレスに送信する（Ｓ５）。インターネットを経由して指定された宛先ユーザの受信側の端末６に届き、添付ファイルを開くことにより電子メールを解読することができる（Ｓ６）。
【００１９】
受信側の端末６は海外のいかなる国にあろうとも、インターネットに接続可能であれば、文字フォント無しで電子メールを文字データとして解読することができる。逆に、電子メール（受送信）サーバー３を海外に配備しておけば、海外のいかなる国からもその国の常用言語による文字フォントを用いて作成された電子メールを送信されても、我が国でその電子メールをそのまま文字データとして解読することができる。
【００２０】
図３は図２のステップ３（Ｓ３）を詳細に表したもので、先ず、電子メールの入力が存在するか否かが判定され、存在しない場合はエラーリターンで開始に戻る（Ｓ７）。電子メールが存在する場合は、電子メールの文字列の先頭から順に１文字に対応する文字フォントをフォントメモリ（図示せず）から検索する（Ｓ８）。次に、得られた文字フォントを画像ファイル例えばビットマップファイル（図示せず）などに書き出す（Ｓ９）。以上の処理を文字列の先頭から順に１文字ずつ処理し続け、電子メールの文字は全て処理したか否かの判定を行い（Ｓ１０）、全て処理すれば終了する。
【００２１】
実施の形態２．
実施の形態１では変換した画像データを電子メールの添付ファイルとして送信するシステムを示したが、画像データを添付ファイルとして送信しなくても、特定のＷｅｂサーバー上にＷｅｂコンテンツとして画像ファイルを掲載することにより、受信端末からそのＷｅｂコンテンツをアクセスすることにより画像データを見ることも可能である。
【００２２】
図１はこの発明の実施の形態２における電子メール画像送信システムを示すもので、実施の形態１と異なるところは、電子メールサーバー３において、送信された電子メールをインターネット２経由で受信し、そのテキストデータを画像データに変換した後、その画像データを参照するＷｅｂコンテンツをＷｅｂサーバーに作成し、そのＷｅｂコンテンツのＵＲＬを電子メールに追記し、電子メールの宛先に送信するところである。受信端末６に送信するのはＵＲＬのみであるので、特に携帯電話等で添付ファイル参照機能が十分でない場合でも実現可能である。
【００２３】
図４はこの発明の実施の形態２における電子メール画像送信方法を示すもので、送信端末１にて電子メールを作成し、電子メールサーバー３を選択しメールアドレスを指定して送信する（Ｓ１１）。電子メールはインターネット２を経由して予め選択した電子メールサーバー３に届く（Ｓ１２）。電子メールサーバー３において、電子メールのテキストデータを画像データに変換する（Ｓ１３）。その画像データを参照するＷｅｂコンテンツをＷｅｂサーバーに作成し、ＷｅｂコンテンツのＵＲＬを電子メールに追記する（Ｓ１４）。電子メールサーバー３から送信された電子メールを電子メールサーバー５にて受信し、指定された電子メールの宛先に送信する（Ｓ１５）。インターネット２を経由して指定された電子メールの宛先であるＰＯＰサーバーに届く。受信端末６は送信されたＵＲＬをアクセスして画像データを読むことができる（Ｓ１６）。
【００２４】
電子メールの文章が長く、それに伴い画像データのファイル容量が大きくなる場合には特に有効である。
【００２５】
上記実施の形態１及び実施の形態２ともに、端末６から送信する場合も考えられ、その場合には、送信側の端末６からの送信時に受信側の電子メールサーバーを選択する必要があり、例えば受信側の電子メールサーバー３を選択したとすると、送信側の電子メールサーバー５にて受信側の電子メールサーバー３に送信され、電子メールサーバー３にて電子メールのテキストデータを画像データに変換し、受信側の端末１に電子メールを送信することになる。
【００２６】
【発明の効果】
この発明は以上説明したように、電子メールをインターネット経由で受信しそのテキストデータを画像データに変換し電子メールの添付ファイルとして指定された電子メールの宛先に送信するように構成されているので、文字フォントを用いずに送信された電子メールを解読することができる。
【００２７】
また、送信された電子メールをインターネット経由で受信しそのテキストデータを画像データに変換し上記画像データを参照するＷｅｂコンテンツをＷｅｂサーバーに作成し、そのＷｅｂコンテンツのＵＲＬを電子メールに追記して、電子メールの宛先に送信するように構成されているので、文字フォントを用いずに送信された電子メールを解読することができる。
【００２８】
また、送信端末から送信された電子メールのテキストデータを画像データに変換し、その画像データを上記電子メールの添付ファイルとして受信端末に送信するように構成されているので、文字フォントを用いずに送信された電子メールを解読することができる。
【００２９】
さらに、画像データを参照するＷｅｂコンテンツをインターネット上のＷｅｂサーバー上に作成し、上記ＷｅｂコンテンツのＵＲＬを電子メールにて受信側の端末に送信するように構成されているので、文字フォントを用いずに送信された電子メールを解読することができる。
【図面の簡単な説明】
【図１】この発明の実施の形態１及び実施の形態２を示す電子メール画像送信システム及び電子メール画像送信方法を実現するためのシステム構成図である。
【図２】この発明の実施の形態１を示す電子メール画像送信システムの動作を説明したフローチャートである。
【図３】この発明の実施の形態１を示す電子メール画像送信システムの電子メールのテキストデータを画像データに変換する処理の流れを説明したフローチャートである。
【図４】この発明の実施の形態２を示す電子メール画像送信方法を説明したフローチャートである。
【符号の説明】
１  端末、２  インターネット、３  電子メールサーバー、４  電子メールサーバー、５  電子メールサーバー、６  端末。
【図１】
2004179936.tif 000003
【図２】
2004179936.tif 000004
【図３】
2004179936.tif 000005
【図４】
2004179936.tif 000006